(57)【特許請求の範囲】
【請求項１】
容器の口頸部に着脱自在に取り付けられるキャップ部材と、
上記キャップ部材に設けられ、上記容器内の液体を外部に噴出するポンプ機構と、
上記キャップ部材の上面に設けられたアームに回動自在に支持され、上記ポンプ機構を駆動させて、該ポンプ機構に上記容器内の液体を外部に噴出させるトリガーと、
上記ポンプ機構の上面に設けられ、該ポンプ機構を駆動させて、該ポンプ機構に上記容器内の液体を外部に噴出させる押圧操作部とを備え、
上記ポンプ機構は、先端に設けられ上記容器内の液体を外部に噴出するノズルが前方へと屈曲されて上記トリガーの側方に形成された開口部から外部に露出するように、該トリガー内に配設されていることを特徴とする液体噴出器。
【請求項２】
上記押圧操作部は、軸部が上記トリガーの上面に形成された貫通孔に挿通され、該軸部の先端のヘッド部が上記トリガー上に配置されるように設けられていることを特徴とする請求項１に記載の液体噴出器。
【発明の詳細な説明】
【技術分野】
【０００１】
本発明は、容器内の液体を外部に噴出させる液体噴出器に関する。
【背景技術】
【０００２】
液体噴出器としては、トリガーを引くことで、トリガーの動きに連動してポンプ機構が駆動して容器内の液体をノズルから外部に噴出させるものが知られている（例えば、特許文献１参照。）。更に、液体噴出器としては、ポンプ機構のピストンに一体に設けられたヘッド部を押圧することで、ポンプ機構が駆動して容器内の液体をノズルから外部に噴出させるものが知られている。
【０００３】
このような液体噴出器は、一般的に使用する用途に応じて使い分けられている。例えば、トリガー型の液体噴出器は、主に、消臭剤や洗浄剤や消毒剤等、液体を広範囲に噴きかける場合などに用いられる。その一方で、ポンプ型の液体噴出器は、主に、液体ハンドソープや化粧品や香水等、液体を一定量分だけ手に取る場合などに用いられる。したがって、使用者は、例えば、トリガー型の液体噴出器を既に所有していても、液体ハンドソープ等を容器に収容して用いるときにはポンプ型の液体噴出器を新たに購入する必要があり、トリガー型の液体噴出器が無駄となる虞がある。
【先行技術文献】
【特許文献】
【０００４】
【特許文献１】特開２０１２−９１１４４号公報
【発明の概要】
【発明が解決しようとする課題】
【０００５】
本発明は、以上のような問題点に鑑みてなされたものであり、使用する用途に関わらずに使用することが可能な液体噴出器を提供することを目的とする。
【課題を解決するための手段】
【０００６】
本発明に係る液体噴出器は、容器の口頸部に着脱自在に取り付けられるキャップ部材と、キャップ部材に設けられ、容器内の液体を外部に噴出するポンプ機構と、キャップ部材の上面に設けられたアームに回動自在に支持され、ポンプ機構を駆動させて、ポンプ機構に容器内の液体を外部に噴出させるトリガーと、ポンプ機構の上面に設けられ、ポンプ機構を駆動させて、ポンプ機構に容器内の液体を外部に噴出させる押圧操作部とを備え、ポンプ機構は、先端に設けられ容器内の液体を外部に噴出するノズルが前方へと屈曲されてトリガーの側方に形成された開口部から外部に露出するように、トリガー内に配設されている。
【０００７】
更に、押圧操作部は、軸部がトリガーの上面に形成された貫通孔に挿通され、軸部の先端のヘッド部がトリガー上に配置されるように設けられているようにしても良い。
【発明の効果】
【０００８】
本発明は、共にポンプ機構を駆動させてポンプ機構に容器内の液体を外部に噴出させるトリガーと押圧操作部とを備えることにより、トリガーを操作することで、ポンプ機構に容器内の液体を外部に噴出させることができ、更に、押圧操作部を押圧することでも、ポンプ機構に容器内の液体を外部に噴出させることができる。したがって、本発明は、主に液体を広範囲に噴きかける場合などに用いられる、所謂、トリガー型の液体噴出器として使用することができ、更に、主に液体を一定量分だけ手に取る場合などに用いられる、所謂、ポンプ型の液体噴出器としても使用することができ、使用する用途に関わらずに使用することができて、経済的である。
【図面の簡単な説明】
【０００９】
【図１】本発明を適用した液体噴出器の未操作時の様子を示した側面図である。
【図２】本発明を適用した液体噴出器のトリガーの操作時の様子を示した側面図である。
【図３】本発明を適用した液体噴出器の押圧操作部の操作時の様子を示した平面図である。
【図４】本発明を適用した液体噴出器の未操作時の様子を示した平面図である。
【発明を実施するための形態】
【００１０】
以下、本発明を適用した液体噴出器について、図面を参照しながら詳細に説明する。なお、本発明は以下の例に限定されるものではなく、本発明の要旨を逸脱しない範囲で、任意に変更可能である。
【００１１】
本発明を適用した液体噴出器１は、図１に示すように、容器２０の口頸部２０ａに装着され、容器２０の内部に収納されている液体を外部に噴出する液体噴出器である。
【００１２】
具体的に、液体噴出器１は、容器２０の口頸部２０ａに着脱自在に取り付けられるキャップ部材２を有している。このキャップ部材２は、下側に開口する空間部を有している。また、この空間部の内周壁面には、容器２０の口頸部２０ａの外周に形成されたネジ部２０ｂと相互に螺合するネジ部２ａが形成されている。キャップ部材２は、ネジ部２ａが容器２０のネジ部２０ｂと螺合することで、容器２０の口頸部２０ａに着脱自在に取り付けられる。なお、キャップ部材２は、その他の周知技術によって、容器２０の口頸部２０ａに着脱自在に取り付けられるようにしても良い。
【００１３】
また、キャップ部材２の内部には、容器２０内の液体を吸い上げてノズル３に供給して、液体を、霧状、泡状又は液状に外部に噴出させるポンプ機構４が設けられている。このポンプ機構４は、従来公知のポンプ機構であり、例えば、上端部を前方へと屈曲させてその先端にノズル３が設けられたピストン５と、下部に液体がノズル３側へ向けて流動するように動作する逆止弁（不図示）を有するとともに、下端部から吸上パイプ６を垂設し、更に、内部にピストン５が摺動自在に設けられるとともに、ピストン５の下にコイルスプリング（不図示）を内装してこのコイルスプリングを介してピストン５を上方へ付勢するシリンダ７と、シリンダ７に形成され、容器２０内に外気を供給する外気導入路（不図示）などで構成されている。なお、ポンプ機構４については、従来公知のポンプ機構であるので、ここでは詳細な説明は省略する。更に、ポンプ機構４については、従来から種々提案されているものを適宜選択して採用することができる。
【００１４】
また、キャップ部材２の上面には、例えば斜上後方へと突設されたアーム８が設けられている。更に、このアーム８の上端には、第１の回動軸８ａを介して、トリガー９の後端が回動自在に支持されている。トリガー９は、略Ｌ字状をなし、ピストン５の先端のノズル３が開口部１０から露出されている前端の操作部９ａを斜下前方へと垂下させて設けられている。更に、トリガー９の中間部には、ポンプ機構４のピストン５の上部に形成された第２の回動軸５ｃを回動自在に支持する軸受部９ｂが形成されている。軸受部９ｂは、図２に示すように、操作部９ａが引くように操作されてトリガー９が第１の回動軸８ａを中心に下方側に回動されると、この回動に連動して、第２の回動軸５ｃを介してポンプ機構４のピストン５をシリンダ７側に押し下げる。したがって、トリガー９は、操作部９ａが操作されると、軸受部９ｂがポンプ機構４のピストン５をシリンダ７側に押し下げて、ポンプ機構４に容器２０内の液体をノズル３から外部に噴出させる。
【００１５】
また、ピストン５のシリンダ７側の基端管部５ａに対して屈曲させてその先端にノズル３が設けられた先端管部５ｂの上面には、容器２０内の液体をノズル３から外部に噴出させる押圧操作部１１が設けられている。この押圧操作部１１は、軸部１１ａがトリガー９の上面に形成された貫通孔１２に挿通され、軸部１１ａの先端のヘッド部１１ｂがトリガー９上に配置されるように設けられている。また、押圧操作部１１の軸部１１ａは、図３に示すように、軸部１１ａが下方側に押圧されても、トリガー９とヘッド部１１ｂとが接触しないような長さに設けられている。更に、押圧操作部１１は、軸部１１ａの軸線とピストン５の基端管部５ａの軸線とが一致するように設けられている。したがって、押圧操作部１１は、押圧力を効率良くピストン５に伝達することができる。また、押圧操作部１１は、押圧された際に、基端管部５ａや先端管部５ｂが撓むことを防止することができ、破損等することを防止することができる。
【００１６】
また、トリガー９の上面に形成されて押圧操作部１１の軸部１１ａが挿通される貫通孔１２は、図１に示すように、未操作時は勿論、図２に示すように、トリガー９が操作されてトリガー９が下方に回動した際にも、トリガー９と押圧操作部１１が接触しないように設けられており、ここでは、図４に示すように、例えば長孔状に形成されている。すなわち、押圧操作部１１とトリガー９とは、別々に駆動される。
【００１７】
以上のような構成を有する押圧操作部１１は、図３に示すように、使用者等によって下方側に押圧されると、ポンプ機構４のピストン５をシリンダ７側に押し下げて、ポンプ機構４に容器２０内の液体をノズル３から外部へと噴出させることができる。
【００１８】
なお、押圧操作部１１は、例えば接着剤や圧入等で、ピストン５の先端管部５ｂに一体に設けても良く、先端管部５ｂに形成したネジ孔に先端にネジ部を形成した軸部１１ａを螺合する等して、ピストン５の先端管部５ｂに着脱自在に取り付けるようにしても良い。
【００１９】
以上のような構成を有する本発明を適用した液体噴出器１は、トリガー９の操作部９ａを操作することで、ポンプ機構４に容器２０内の液体をノズル３から外部に噴出させることができ、更に、押圧操作部１１を押圧することでも、ポンプ機構４に容器２０内の液体をノズル３から外部に噴出させることができる。したがって、本発明を適用した液体噴出器１は、主に液体を広範囲に噴きかける場合などに用いられる、所謂、トリガー型の液体噴出器として使用することができ、更に、主に液体を一定量分だけ手に取る場合などに用いられる、所謂、ポンプ型の液体噴出器としても使用することができる。よって、本発明を適用した液体噴出器１は、使用する用途に関わらずにどちらの使用用途においても使用することができ、経済的である。
【００２０】
なお、本発明を適用した液体噴出器１は、貫通孔１２が長孔状に形成されることに限定されるものではなく、未操作時とトリガー９が操作されてトリガー９が下方に回動した際とに、トリガー９と押圧操作部１１の軸部１１ａとが接触しないように設けられていれば、例えば円形、矩形、多角形状等、如何なる形状であっても良い。
【００２１】
また、本発明を適用した液体噴出器１は、押圧操作部１１を、軸部１１ａの軸線とピストン５の基端管部５ａの軸線とが一致するように、先端管部５ｂの上面に設けることに限定されるものではなく、押圧操作部１１を押圧することができれば、偏倚して先端管部５ｂの上面に設けるようにしても良い。
【符号の説明】
【００２２】
１  液体噴出器、２  キャップ部材、２ａ  ネジ部、３  ノズル、４  ポンプ機構、５  ピストン、５ａ  基端管部、５ｂ  先端管部、５ｃ  第２の回動軸、６  吸上パイプ、７  シリンダ、８  アーム、８ａ  第１の回動軸、９  トリガー、９ａ  操作部、９ｂ  軸受部、１０  開口部、１１  押圧操作部、１１ａ  軸部、１１ｂ  ヘッド部、１２  貫通孔、２０  容器、２０ａ  口頸部、２０ｂ  ネジ部
【図１】
0005538507.tif 000002
【図２】
0005538507.tif 000003
【図３】
0005538507.tif 000004
【図４】
0005538507.tif 000005